(57)【要約】【課題】  流し読み時の走査方向と同方向になり、コントローラ等の外部機器への転送画像に影響が出ないような制御を実現するるとともに、ゴミによる画像品質の低下を低減させることが可能となる。【解決手段】  固定読みおよび流し読みが可能なＡＤＦにおいて、流し読みジョブ中にゴミなどの異物が検出された時に固定読みモード切り替える動作を行い、固定読み時に通常の固定読みとは副走査方向に逆走査する。【選択図】        図１
2007043469.tif 000002
【特許請求の範囲】
【請求項１】
原稿トレイ上に積載された原稿束から原稿を１枚づつ順に給送し、搬送する原稿搬送手段と、
原稿搬送手段により搬送された原稿上の画像を読み取る読み取り手段と、
原稿搬送手段によりプラテンガラス上に原稿を搬送し、原稿を固定し、読み取り手段を移動させて読み取る固定読みモードと、
原稿搬送手段によりプラテンガラス上に原稿を搬送し、読み取り手段を固定し、原稿を移動させながら読み取る流し読みモードと、
固定読みモードと流し読みモードを選択的に実行するように原稿搬送手段と読み取り手段を制御する制御手段と、
流し読みを行う読み取り位置でゴミなどの異物を検出する異物検出手段とを備え、
さらに、固定読みモードは、第１の固定読みモードと、第１の固定読みモードとは読み取り手段の移動方向が異なる第２の固定読みモードを持ち、
流し読みモードで読み取り中に異物検出手段によりゴミなどの異物が検出された場合には、搬送手段により搬送されている原稿をプラテンガラス上に停止させ、読み取りモードを第２の固定読みモードに切り替えるように制御を行うことを特徴とする、画像読取装置。
【請求項２】
前記第１の固定読みモードは読み取り手段を通常の移動方向に移動させて読み取る正走査固定読みモードであり、前記第２の固定読みモードは、読み取り手段を前記正走査固定読みモードとは逆の移動方向に移動させながら読み取る、逆走査固定読みモードであることを特徴とする請求項１記載の画像読取装置。
【請求項３】
流し読み位置からの逆走査固定読み移動調整値を持ち、逆走査固定読みモード時には逆走査固定読み移動調整値に相当する距離だけ光学系を移動させ、逆走査固定読みモードの開始位置とする請求項１または請求項２記載の画像読取装置。
【請求項４】
前記逆走査固定読み移動調整値は、固定読み時の原稿後端停止位置から流し読み位置までの距離と、搬送された原稿の原稿長との差であることを特徴とする請求項１乃至３いずれか記載の画像読取装置。
【請求項５】
請求項１乃至４いずれか記載の画像読み取り装置は情報の表示を行う表示手段をもち、流し読みモードで搬送される搬送原稿が所定長以上であった場合に、異物検出手段で異物が検出された場合は、警告メッセージを表示することを特徴とする画像読取装置。
【発明の詳細な説明】
【技術分野】
【０００１】
本発明は、画像読取装置に関するものである。
【背景技術】
【０００２】
従来、自動原稿給送装置（以下ＡＤＦ）を備える画像読取装置においては、ＡＤＦを使用した読み取りモードとして“流し読み”と言われるモードと“固定読み”と言われるモードを備えているものがある。流し読みモードとは画像読取装置側の原稿読み取り部を所定の読み取り位置で固定し、そのままの状態で、ＡＤＦより原稿を一定速度で搬送しながら原稿を読み取るモードである。また、固定読みモードとは、ＡＤＦよりプラテンガラス上に原稿を搬送し、原稿をプラテンガラス上に固定して、原稿読み取り部を移動させながら読み取るモードである。このような流し読みモードおよび固定読みモードを備えた画像読取装置においては、読み取り画像の品質を保つために、流し読みジョブ時に読み取り部のゴミが検知された時に固定読みに切り替える処理を行っているものがある（例えば、特許文献１参照）。
【０００３】
また、一方、流し読みジョブ時に搬送される原稿間（紙間）で、検知されたゴミを画像へ目立たなくするために、ゴミの補正処理を行うものもある（例えば、特許文献２参照）。
【特許文献１】特開２００３−３３３２９０号公報
【特許文献２】特開２００３−３４８３３６号公報
【発明の開示】
【発明が解決しようとする課題】
【０００４】
従来のスキャナなどの読み取り装置では、画像を読み取るスキャナと、スキャナから読み取られた画像データを処理するコントローラから構成されるものが多い。
【０００５】
このような構成では、スキャナなどの読み取り手段のＣＣＤなどの読み取り素子から１ライン主走査方向に順次画像データが読み出される。コントローラでは画像データを蓄積する揮発性メモリなどの蓄積手段を持っており、スキャナで読み出された画像データは１ラインごとにコントローラに送信され、コントローラでは受信した画像データを１ラインずつ順次蓄積手段に蓄積される。
【０００６】
図７はこのような読み取り方法で流し読み、固定読みした時のコントローラでの画像の扱いについて説明したものである。（ａ）は流し読み時の主走査方向と副走査方向を示した図であり、（ｂ）は固定読み時の主走査方向と副走査方向を示した図である。この図より、同じ原稿の向きでも、固定読みと流し読みでは副走査方向が異なる。この結果、メモリに蓄積された画像データは流し読みの場合は（ｃ）のようになり、固定読みの場合は（ｄ）のようになる。このような読み取り方法の場合、走査方向に従って順次読み取られるため、メモリに格納された段階では、画像データは流し読みと固定読みで反転した形になる。流し読みでは、このあと、（ｅ）のように反転処理を行うことによって、正常な画像を得る。
【０００７】
しかし、上記従来例のように、流し読みジョブ時にゴミ検知がされた時に固定読みに切り替えた場合には、コントローラは流し読みでメモリ格納するので、コントローラに対しては、本来転送すべき画像とは反転した画像が送信されてしまうことになる。そのため、コントローラでは再度反転処理を行わなければならず、読み取りに時間がかかってしまう。また、ジョブ途中で再反転動作を行うことが出来ないコントローラでは、流し読みを一旦中止して再度固定読みを行わなければならず、結果大幅に読み取り生産性が低下してしまい、ユーザにとって利便性の悪いものであった。
【０００８】
本発明では、このような問題点を解決するためになされたものであり、コントローラ等の外部機器への画像転送に影響が出ないような制御を実現するとともに、ゴミ等の影響のない良好な画像を読み取ることが出来る画像読取装置を提供することを目的とする。
【課題を解決するための手段】
【０００９】
前記目的を達成するために、本発明による解決手段は、原稿トレイ上に積載された原稿束から原稿を１枚づつ順に給送し、搬送する原稿搬送手段と、原稿搬送手段により搬送された原稿上の画像を読み取る読み取り手段と、原稿搬送手段によりプラテンガラス上に原稿を搬送し、原稿を固定し、読み取り手段を移動させて読み取る固定読みモードと、原稿搬送手段によりプラテンガラス上に原稿を搬送し、読み取り手段を固定し、原稿を移動させながら読み取る流し読みモードと、固定読みモードと流し読みモードを選択的に実行するように原稿搬送手段と読み取り手段を制御する制御手段と、流し読みを行う読み取り位置でゴミなどの異物を検出する異物検出手段とを備え、さらに、固定読みモードは、第１の固定読みモードと、第１の固定読みモードとは読み取り手段の移動方向が異なる第２の固定読みモードを持ち、流し読みモードで読み取り中に異物検出手段によりゴミなどの異物が検出された場合には、搬送手段により搬送されている原稿をプラテンガラス上に停止させ、読み取りモードを第２の固定読みモードに切り替えるように制御を行うことを特徴とする、画像読取装置である。
【００１０】
加えて、前記第１の固定読みモードは通常の読み取り手段の移動方向で読み取る正走査固定読みモードであり、前記第２の固定読みモードは、前記正走査固定読みモードとは逆の読み取り手段の移動方向から読み取る、逆走査固定読みモードである。
【００１１】
また、流し読み位置からの逆固定読み移動調整値を持ち、逆固定読みモード時には逆固定読み移動調整値に相当する距離だけ光学系を移動させ、逆固定読みモードの開始位置とし、前記逆固定読み移動調整値は、固定読み時の原稿後端停止位置から流し読み位置までの距離と、搬送された原稿の原稿長との差である。
【００１２】
さらに、画像読み取り装置は情報の表示を行う表示手段をもち、流し読みモードで搬送される搬送原稿が所定長以上であった場合に、異物検出手段で異物が検出された場合は、警告メッセージを表示する。
【００１３】
本発明によれば、このようにすることで、固定読みおよび流し読みが可能なＡＤＦにおいて、流し読みジョブ中にゴミなどの異物が検出された時に固定読みモード切り替える制御を行い、さらに、固定読み時に通常の固定読みとは副走査方向に逆走査することによって、流し読み時の走査方向と同方向になり、コントローラ等の外部機器への転送画像に影響が出ないような制御を実現するるとともに、ゴミによる画像品質の低下を低減させることが可能となる。
【発明の効果】
【００１４】
本発明によれば、固定読みおよび流し読みが可能なＡＤＦにおいて、流し読みジョブ中にゴミなどの異物が検出された時に固定読みモード切り替える制御を行い、固定読み時に通常の固定読みとは副走査方向に逆走査することによって、流し読み時の走査方向と同方向になり、コントローラ等の外部機器への転送画像に影響が出ないような制御を実現するるとともに、ゴミによる画像品質の低下を低減させることが可能となる。
【発明を実施するための最良の形態】
【００１５】
以下、本発明の一実施例を図面にそって説明する。
【実施例】
【００１６】
本実施例の装置は、自動原稿送り装置（ＡＤＦ）１００、リーダ部２００およびコントローラ部４００から構成されている。
【００１７】
自動原稿送り装置（ＡＤＦ）１００の動作について図１を参照しながら説明する。図１は自動原稿送り装置１００およびリーダ部２００を模式的に示す断面図である。
【００１８】
自動原稿送り装置１００は、図１に示すように、少なくとも１枚以上のシートで構成される原稿束６２１を載置する原稿トレイ６２０と、原稿の搬送開始前に、原稿トレイ６２０より突出し、原稿束６２１の下流への進出を規制するストッパ６１１と、給紙ローラ６０１とを有する。給紙ローラ６０１は、原稿トレイ６２０に載置された原稿束６２１の原稿面に落下し、回転する。これにより、原稿束の最上面の原稿Ｐが給紙される。給紙ローラ６０１によって給送された原稿は分離ローラ６０２と分離ベルト６０３の作用によって１枚に分離される。この分離は周知のリタード分離技術によって実現されている。
【００１９】
分離ローラ６０２と分離ベルト６０３によって分離された原稿は、搬送ローラ６０４により、レジストローラ６０５へ搬送され、レジストローラ６０５に原稿を突き当てられる。これにより、原稿はループ状に形成され、原稿の搬送における斜行が解消される。
【００２０】
レジストローラ６０５の下流側には、レジストローラ６０５を通過した原稿をプラテンガラス２０１方向へ搬送する給紙パス６５２または反転パス６５３へ誘導する反転給紙フラッパ６１３が配置されている。反転パス６５３には、第１反転ローラ６１４と第２反転ローラ６１５とが設けられ、第１および第２反転ローラ６１４，６１５は、共に原稿を反転させる場合に回転する。第２反転ローラ６１５の下流側には、反転フラッパ６１２が設けられ、反転フラッパ６１２は、第２反転ローラ６１５の方向から到来する原稿を反転パス６５０または再給紙パス６５１へ誘導する。
【００２１】
給紙パス６５２に送られた原稿は、給送ベルト６０７によりプラテン２０１上に送られる。ここで、給送ベルト６０７は、ベルト駆動ローラ６０６により駆動されるとともに、プラテン２０１に接触する。給送ベルト６０７により給送された原稿は、給排紙ローラ６１７、排紙フラッパ６１６および排紙ローラ６１８を介して原稿排紙パス６５５へ導かれて原稿排紙口６２３へ排出される。
【００２２】
また、原稿トレイ６２０の下部には３個のセンサ６０８、６０９、６１０が配置されている。原稿セット検知センサ６１０は、原稿束６２１がセットされたことを検知する透過型の光センサである。原稿後端検知センサ６０８は、原稿がハーフサイズ原稿か否かを判定するための反射型の光センサである。原稿セット検知センサ６１０と原稿後端検知センサ６０８との間にある最終原稿検知センサ６０９は、搬送中の原稿が最終原稿か否かを判定するための反射型の光センサである。最終原稿検知センサ６０９は、現在読み取り中の原稿の次に続く読み取り原稿があるかの否かを検出するセンサでもある。
【００２３】
また、原稿トレイ６２０には、それに載置された原稿束の副走査方向にスライド可能なガイド規制板（図示せず）が設けられているとともに、このガイド規制板に連動して原稿幅を検出する原稿幅検知センサ（図示せず）が設けられている。上記原稿幅検知センサと原稿後端検知センサ６０８との組み合わせにより、原稿トレイ６２０上に載置された原稿束の原稿サイズが判別可能となる。また、搬送パス内に設けられた原稿長検知センサ（図示せず）により、搬送中の原稿の先端検知から後端検知までの搬送距離から原稿長を検出することも可能であり、検知した原稿長と上記原稿幅検知センサとの組み合わせからも、原稿サイズが判別可能である。
【００２４】
リーダ部２００は、原稿に記録された画像情報を光学的に読み取り、光電変換して画像データとして入力するものであり、プラテンガラス２０１、ランプ２０３とミラー２０４を有するスキャナユニット２０２、ミラー２０５、２０６、レンズ２０７、ＣＣＤセンサ２０８等を有している。
【００２５】
次に、片面に印刷がなされた原稿（片面原稿）を読み取る際、スキャナユニット２０２を所定位置に固定し、原稿を移動させて画像を読み取る原稿読取モード（原稿流し読み）の動作について説明する。図２（ａ）〜（ｄ）は自動原稿送り装置による原稿流し読み時における転写紙の給送状態を模式的に示す断面図である。
【００２６】
自動原稿送り装置１００に原稿の給送開始が指示されると、ストッパ６１１が下降し、さらに給紙ローラ６０１が原稿上面に落下する（図２（ａ）を参照）。給紙ローラ６０１、分離ローラ６０２、分離ベルト６０３、搬送ローラ６０４の作用により、原稿束６２１からその最上面にある１枚の原稿だけが分離され、レジストローラ６０５まで給送される。ここで、反転給紙フラッパ６１３は原稿を給紙パス６５２へ搬送する方向にセットされている（図２（ｂ）を参照）。
【００２７】
レジストローラ６０５が回転すると、原稿は給紙パス６５２を経由してプラテンガラス２０１上へと導かれる。原稿は、図中のＡ点上を所定の速度で搬送され、原稿の画像はＡ点の下部に待機しているスキャナユニット２０２によって読み取られる。この際、原稿の先端がＡ点を通過するタイミングで、読取開始の信号をリーダ部２００に通知する。読み取られた原稿Ｐそのまま図の右方向へ搬送され、原稿排紙口６２３から自動原稿送り装置１００の機外へ排出される（図２（ｃ）を参照）。
【００２８】
また、Ａ点上をＮ枚目の原稿が読み取られている間に、原稿後端が搬送ローラ６０４を通過すると、原稿トレイ６２０上に載置されている原稿束から（Ｎ＋１）枚目の原稿の給送が開始され、この原稿は、同様に、プラテンガラス２０１へ搬送され、この原稿上の画像の読取動作が行われる（図２（ｄ）を参照）。このとき、原稿がレジストローラ６０５に突き当てられた状態で、レジストローラ６０５の起動タイミングを操作することにより、Ａ点上で読み取り中の前原稿との間隔が適時調整され、プラテンガラス２０１上では、所定の間隔で原稿が搬送される。
【００２９】
片面に印刷がなされた原稿（片面原稿）を読み取る場合で、固定読みを行う場合においては、図３に示すように、原稿を原稿後端がプラテンガラス２０１の端部に合わさる位置Ｃに載置して、スキャナユニット２０２を矢印の方向に移動させて、画像を読み取る原稿固定読み動作を行う。
【００３０】
図８は、自動原稿送り装置１００の制御ブロック図である。
【００３１】
中央演算処理装置である制御手段（以下、ＣＰＵ）８００、リードオンリーメモリ（以下、ＲＯＭ）８０１、ランダムアクセスメモリ（以下、ＲＡＭ）８０２、出力ポート、及び、入力ポートを備えている。ＲＯＭ８０１には、制御用プログラムが格納されており、ＲＡＭ８０２には、入力データや作業用データが格納されている。また、出力ポートには、図示しない各種搬送用のローラを駆動するモータ、ソレノイド、クラッチが接続されており、入力ポートには、図示しない各種センサがそれぞれ接続されている。
【００３２】
ＣＰＵ８００は、これにバスを介して接続されたＲＯＭ８０１に格納された制御プログラムにしたがって紙搬送を制御する。ＣＰＵ８００は、リーダ部２００の中央演算処理装置（ＣＰＵ）とシリアル通信を行い、リーダ部２００との間で制御データの授受を行うようになっている。また、原稿画像データの先端の基準となる画先信号も通信ラインを通してリーダ部２００に通知される。
【００３３】
図１２は、リーダ部２００の制御ブロック図である。図１２において、１３０６がＣＰＵ部であり、リーダ部２００の制御をすべて行っている。ＣＰＵ部１３０６には不図示のプログラム格納ＲＯＭ，ワークＲＡＭ等が含まれる。１３０７はモータドライブ部であり、光学系駆動モータを駆動させるためのドライバ回路である。１３０８はリーダ部２００の各種センサからの信号をＣＰＵ部１３０６に取り込むための、センサ信号入力部である。ＣＰＵ部１３０６は、モータドライバ部１３０７及びセンサ信号入力部１３０８を用いて、リーダ部２００の制御を行う。１３０４は紙間補正を行う紙間補正処理部である。１３０３は画像メモリであり、レンズ２０７でＣＣＤ２０８上に結像された画像信号はディジタル画像データに変換され、画像処理部１３０２で各種の画像処理を行い、画像メモリ部１３０３に書き込まれる。画像メモリ部１３０３に書き込まれたデータは順次コントローラＩＦ部１３１０を通してコントローラ部４００へ送信される。また、原稿画像データの先端の基準となる画先信号については、ＣＰＵ部１３０６でタイミングを取って、コントローラＩＦ部１３１０を通してコントローラ部４００へ通知される。ＤＦからの通信ラインで通知される画先信号についても同様にリーダ部２００のＣＰＵ部１３０６でタイミングを取って、コントローラＩＦ部１３１０を通してコントローラ部４００へ通知される。
【００３４】
図１３は画像処理部１３０２の全体構成を示す回路ブロック図であり、増幅回路１４０１、Ａ／Ｄ変換器１４０２、補正回路１４０３を有している。
【００３５】
ＣＣＤ２０８からは、原稿画像を走査する過程で、読み取りの１ラインごとにアナログの画像信号が出力され、それらは増幅回路１４０１により増幅された後、Ａ／Ｄ変換器１４０２により８ビットのディジタル信号に変換される。そして、補正回路１４０３は、画像信号に対して、後述する紙間補正処理部で作成された紙間補正データ１５０８に基づいた補正処理を行う。その後、画像メモリ部１３０３に書き込まれていくことになる。以上の処理を原稿画像領域分行い、原稿の読み取り画像を形成する。
【００３６】
図４はコントローラ部４００のブロック図である。コントローラ部４００は、リーダインタフェース４０１を介してリーダ部２００に接続してある。コントローラ部４００はリーダインタフェース４０１の他に、リーダメモリ４０２と、エンコーダ４０３と、圧縮用画像メモリ４０４と、デコーダ４０５と、ページメモリ４０６と、ＣＰＵ４０７と、ＲＡＭ４０８と、ＲＯＭ４０９とを有する。リーダ部２００からの画先信号をトリガにしてリーダ部２００の画像メモリ部１３０３からコントローラＩＦ部１３１０およびリーダインタフェース４０１を介して１ラインづつコントローラ部４００に送信される。送信された画像の圧縮前の画像データをリーダメモリ４０２に順次ストアしていく。エンコーダ４０３はリーダメモリ４０２の画像データを圧縮するものである。圧縮画像用メモリ４０４はエンコーダ４０３により圧縮して得られた画像データをストアするためのものである。デコーダ４０５は圧縮画像用メモリ４０４の圧縮されている画像データを解析し（伸張し）ページメモリ４０６上に展開するものである。ＲＯＭ４０９はコントローラ部の制御プログラムがストアしてある。ＣＰＵ４０７はＲＯＭ４０９の制御プログラムにしたがってコントローラ部４００の各部を制御するものである。ＲＡＭ４０８はＣＰＵ４０７の作業領域である。操作部４１２はリーダ部への読み取りジョブモード（片面や両面など）の指示を行う。コントローラ部４００は操作部で指示されたジョブモードにしたがって、リーダインタフェース４０１を介してリーダ部２００と通信を行って画像読み取り動作を行う。
【００３７】
本実施例では、搬送される原稿の用紙間で行う紙間補正処理として、配光変動補正およびゴミ検知を採用している。図１４は紙間補正処理を行う補正処理部１３０４のブロック図である。ＣＣＤ２０８で原稿紙間で読み取り位置Ａにおける対向する白色の給送ベルト６０７を読み取り、その白色データをもとに紙間補正処理を行う。この紙間で行う配光変動補正１５０１およびゴミ検知１５０２について説明する。配光変動補正１５０１はランプ２０３の光量の補正（光量変動補正処理１５０３）と主走査方向の配光パターンの補正処理（配光補正処理１５０４）を行う。ランプ２０３は長時間点灯させると徐々に光量が低下してくる。そのため図９のように全体的に光量レベルを現在レベルから目標レベルに持ち上げる補正を光量変動補正１５０３として行う。
【００３８】
また、配光補正１５０４は、同様に主走査方向の配光も時間とともに変化するので、図１０に示すように主走査方向に一様に同じ光量レベル（一定レベル）になるように補正する処理である。ゴミ検知１５０２は読み取り位置Ａにおけるゴミの検知処理である。この処理はゴミ検知処理１５０５、ゴミ個数カウント処理１５０６からなる。ゴミ検知処理１５０５は読み取り位置Ａの主走査方向に対してゴミを検知する制御である。
【００３９】
図１１のようにゴミ判定レベル以下の画素をゴミとして検知する。ゴミ個数カウント処理１５０６はゴミ検知処理で検出されたゴミ個数をカウントする処理である。図１１の場合には３箇所となる。以上の補正処理を紙間で行い、ゴミの有無情報を含めた紙間補正データ１５０８を作成し、画像読み取りを行うために補正回路１４０３への補正データの設定を行う。
【００４０】
次に、ゴミが検知された場合に固定読みモードへ切り替える時の動作について説明する。図５は固定読みモードへの切り替えを行う際のフローチャートであり、図６はこのときの原稿の流れを示した断面図である。
【００４１】
まず、搬送されている原稿の読み取りが終了したかどうかを監視する（Ｓ１０１）。図６（ａ）のように、前原稿の読み取りが終了したら、ゴミ検知を開始する（Ｓ１０２）。この図のＡは流し読み位置である。ゴミ検知の結果ゴミが検出されたかどうかを判断し（Ｓ１０３）、ゴミ検知処理が終了してもゴミが無かった場合は、次原稿の読み取りを開始する（Ｓ１０９）。
【００４２】
Ｓ１０３でゴミを検出した場合には、固定読みに切り替えるために、リーダ部２００はＤＦ１００に対して固定読み位置停止要求を送信する。ＤＦでは固定読み停止要求を受信したら、原稿を図６（ｂ）に示すように原稿後端部を位置Ｃに合わせるようにして原稿を停止させる。そして、固定読み位置に到達したあと、固定読み停止応答をリーダ部に送信する。
【００４３】
リーダ部は固定読み位置停止応答を受信するまで待機し（Ｓ１０５）、固定読み停止応答を受信したら、図６（ｃ）のように、光学ユニットをゴミ検知後固定読み開始位置Ｂまで移動させる（Ｓ１０６）。このとき、ＤＦからの搬送されている原稿サイズに応じて、移動距離Ｌ１を決定する。つまり、Ｌ１＝原稿長―Ｘとなる。Ｘは原稿後端部位置Ｃから流し読み位置Ａまでの距離である。
【００４４】
そして、図６（ｄ）のように、通常の固定読みとは逆の方向に走査しながら固定読みを行う（Ｓ１０７）。この原稿以降はゴミが存在したままであるので、ゴミ検知後固定読み（逆固定読み）を行う。読み取り終了後、ゴミ検知処理は終わっているので（Ｓ１０８）、図６（ｅ）のように光学ユニットを位置Ｂまで戻して、次原稿の読み取りを開始する（Ｓ１０９）。
【００４５】
以上をトレイ上の原稿がなくなるまで行う。
【００４６】
上記のように読み取ることで、図１５（ａ）のように固定読み（逆固定読み）でも、流し読みと同じ走査方向になり、図１５（ｂ）のようにメモリに格納される画像データが同じになる。その結果、コントローラでは、リーダ部の固定読みの動作を意識することなく、流し読みジョブで開始したまま、図１５（ｃ）のようにメモリに格納された画像データを反転させれば、図７のような流し読みジョブと同じ画像が得られることになる。
【００４７】
図１６は、プラテンガラスよりも長い原稿（いわゆる長尺原稿）を流し読み場合した場合である。この場合に、ゴミ検知して、固定読みモードに切り替えようとした場合、図１７のように、原稿がプラテンガラスに収まりきれないので、原稿全体を読みことが出来ないので、固定読みが不可能である。このような長い原稿を流し読みした際に、ゴミ検知した場合には、コントローラの操作部にて図１８のようなメッセージを表示して、読み取りを続行するか、中止してゴミを取り除くかを、ユーザに示すようにする。
【図面の簡単な説明】
【００４８】
【図１】本発明の画像読取装置の断面図である。
【図２】（ａ）〜（ｄ）  図１における画像読取装置による流し読みの状態を模式的に示した断面図
【図３】図１における画像読取装置による固定読みの状態を模式的に示した断面図
【図４】本発明の画像読取装置と通信するコントローラ部のブロック図
【図５】本発明の逆固定読み動作時の制御フローチャートである。
【図６（ａ）】本発明の逆固定読みの動作説明を行う断面図である。
【図６（ｂ）】本発明の逆固定読みの動作説明を行う断面図である。
【図６（ｃ）】本発明の逆固定読みの動作説明を行う断面図である。
【図６（ｄ）】本発明の逆固定読みの動作説明を行う断面図である。
【図６（ｅ）】本発明の逆固定読みの動作説明を行う断面図である。
【図７】（ａ）〜（ｄ）  従来例として、流し読みおよび固定読みの場合の走査方向の概略図、および、コントローラの蓄積イメージを示した図である。
【図８】本発明のＡＤＦのブロック図である。
【図９】本発明の紙間補正処理の一つである光量変動補正の説明図である。
【図１０】本発明の紙間補正処理の一つである配光補正の説明図である。
【図１１】本発明の紙間補正処理の一つであるゴミ検知処理およびゴミ個数カウント処理の説明図である。
【図１２】本発明のリーダ部２００の制御ブロック図である。
【図１３】本発明の画像処理部１３０２のブロック図である。
【図１４】本発明の紙間補正処理部１３０４のブロック図である。
【図１５】（ａ）〜（ｃ）  本発明の逆固定読みを行った場合の走査方向の概略図、および、コントローラの蓄積イメージを示した図である。
【図１６】長尺原稿の搬送を示す図である。
【図１７】長尺原稿がプラテンガラス上に停止できないことを示す図である。
【図１８】長尺原稿の流し読みの場合に、ゴミが検出され、固定読みが出来ない場合の操作部の表示を示す図である。
【符号の説明】
【００４９】
１００  ＡＤＦ部
２００  リーダ部
６０１  給紙ローラ
６０２  分離ローラ
６０３  分離ベルト
６０４  搬送ローラ
６０５  レジストローラ
６０６  ベルト駆動ローラ
６０７  搬送ベルト
【図１】
2007043469.tif 000003
【図２】
2007043469.tif 000004
【図３】
2007043469.tif 000005
【図４】
2007043469.tif 000006
【図５】
2007043469.tif 000007
【図６（ａ）】
2007043469.tif 000008
【図６（ｂ）】
2007043469.tif 000009
【図６（ｃ）】
2007043469.tif 000010
【図６（ｄ）】
2007043469.tif 000011
【図６（ｅ）】
2007043469.tif 000012
【図７】
2007043469.tif 000013
【図８】
2007043469.tif 000014
【図９】
2007043469.tif 000015
【図１０】
2007043469.tif 000016
【図１１】
2007043469.tif 000017
【図１２】
2007043469.tif 000018
【図１３】
2007043469.tif 000019
【図１４】
2007043469.tif 000020
【図１５】
2007043469.tif 000021
【図１６】
2007043469.tif 000022
【図１７】
2007043469.tif 000023
【図１８】
2007043469.tif 000024